Podtech/llm-jp-corpus-v4-ja_patent huggingface dataset:
(57)【要約】      （修正有）【課題】パソコン使用人口の老齢化が進み手先の冷える事を防止し、健康の害を防ぐ事ができる暖房つきのパソコンマウスを提供する。【解決手段】電気抵抗発熱のジュール熱によりマウスの内部あるいは表面に電気抵抗を装置し手の温度より少し高めの温度を与える。【選択図】図１
0003114743.tif 000002
【実用新案登録請求の範囲】
【請求項１】
パソコンマウスの上部表面を電気で暖房する
【考案の詳細な説明】
【考案の詳細な説明】
【技術分野】
【０００１】  本考案は、パソコンマウスの暖房に関するものである。
【背景技術】
【０００２】  パソコンマウスは従来冬季には手の表皮よりプラスチックの熱伝導性により熱を奪う。【０００３】  しかし、手先や指は血流が少なく熱を奪われやすい。【０００４】  パソコン操作の人はその画面に神経が集約されがちで手の温度の冷却に気付かない。【０００５】  其の為片手が長時間の冷却にさらされる為色々な病気の原因になる事もある。
【考案が解決しようとする課題】
【０００６】  パソコンマウスの表面を少し暖房して此れを防ぐ。
【課題を解決するための手段】
【０００７】  本考案は、暖房にはマウスに来ている電圧を利用して抵抗を加え其の発生熱を利用する。
【考案を実施するための最良の形態】
【０００８】  マウスの上表面に抵抗導電塗料を塗り其の適度な温度に達する電流をながす、構造にし、此れにスイッチを設ける、其の上にビニール塗料を塗って仕上げる。
【実施例】
【０００９】  図１は、本考案装置の１実施例の概念図である。
【考案の効果】
【００１０】  本考案はマウス表面をわずかの温度上昇させる為わずかな電流で可能であり、加工が非常に簡単で、従来のマウスの形を損なう事なく、手にやさしいマウスが出来る。
【図面の簡単な説明】
【図１】 
【符号の説明】
１    パソコンマウス
２    表面の抵抗体
３    小型のスイッチ
【図１】
0003114743.tif 000003
【手続補正書】
【提出日】平成17年6月23日(2005.6.23)
【手続補正１】
【補正対象書類名】実用新案登録請求の範囲
【補正対象項目名】全文
【補正方法】変更
【補正の内容】
【実用新案登録請求の範囲】
【請求項１】
パソコンマウスを内部より電気抵抗で暖房する事を特徴とするパソコンマウス。
【請求項２】
パソコンマウスの上部表面に接着し発熱させる事を特徴とるフイルム状電気抵抗体。
【請求項３】
フイル状の発熱体の上部表面のフイルムにアクセサリーの絵図を描く事を特徴とする請求項２に記載のフイルム状電気抵抗体
【手続補正２】
【補正対象書類名】明細書
【補正対象項目名】全文
【補正方法】変更
【補正の内容】
【考案の詳細な説明】
【考案に属する技術分野】
【０００１】本考案はパソコンマウスの暖房に関するものであり、手先の暖房により使用する人々の快適さを加えるものである。
【背景技術】
【０００２】パソコンマウスは従来冬季又は寒冷地方には暖房による温度も有りますが、概してプラスチックの熱伝導性により手先の熱を奪う。【０００３】  しかし手先や指は血流が少なく熱を奪われやすい。【０００４】  パソコン操作の人はパソコンの性格上デスプレイに神経が集約されがちで手先の温度の冷却に気付かない。【０００５】  其の為片手が長時間の冷却にさらされる為色々な病気の原因になる事もある。
【考案が解決しょうとする課題】
【０００６】  パソコンマウスの表面を少し暖房してこれを防ぐ。
【課題を解決する為の手段】
【０００７】  本考案は電気抵抗発熱のジュール熱によりマウスの内部あるいは表面に電気抵抗を装置し手の温度より少し高めの温度を与える。
【考案を実施するための最良の形態】
【０００８】マウスの内部に電気抵抗体をおきこれに直流電圧を加え発熱させサーモスタットなどで温度調整をする。【０００９】  又はマウスの表面に電気抵抗塗料を塗り発熱させる。【００１０】  又ポリウレタンなどのフイルム状のものに炭素インクを線状に塗布し其の上からもう一枚のフイルムを接着してこれを部品としあらゆる形状のマウスの大きさに裁断して粘着により取り付けて抵抗体としこれに直流低電圧を加え発熱する。【００１１】  この上側に絵など印刷された同型のフイルムを載せ接着する。【００１２】  裏側の面は粘着にしてマウスに接着可能とする。
【図面の簡単な説明】
【００１３】
【図１】  マウスの表面に貼り付ける炭素抵抗を印刷したフイルムと表面のアクセサリー柄。
【図２】  マウスの表面にフイルムを粘着したところ。
【符号の説明】
【００１４】  Ａ            印刷基盤フイルム
Ｂ            印刷された炭素抵抗体
Ｃ            電気の取り出しリード
Ｄ            表面の柄の印刷されたフイルム
Ｍ            マウス
Ｅ            マウスの表面に接着された抵抗体
【手続補正３】
【補正対象書類名】図面
【補正対象項目名】全図
【補正方法】変更
【補正の内容】
【図１】
0003114743.tif 000004
【図２】
0003114743.tif 000005
(57)【要約】【課題】ロフト角の少ないクラブで打つときにボールが上がりにくく、曲がりやすいという難点があった。【解決手段】プレイヤーのライ角とゴルフクラブのライ角を同じ角度にすることにより、各クラブのロフト通りにストレートフェイスで構えられるようにした。【選択図】  図１
0003114741.tif 000002
【実用新案登録請求の範囲】
【請求項１】
ゴルフクラブのライ角をプレイヤーのライ角と同じ角度にしたゴルフクラブ。
【考案の詳細な説明】
【考案の詳細な説明】
【発明に属する技術分野】
【０００１】本考案はゴルフボールを打った時に飛球方向に対して垂直にたての回転を与える事でストレートボールを打つ事を目的としたゴルフクラブである。
【背景技術】
【０００２】従来のゴルフではグリーンを狙う時に低い軌道でバックスピンをかけてグリーン上にボールを止めるというのが基本となっている。
従来のスイングの方法は円の軌道をＶ字軌道に変える事でトウダウンという現象を引き起こすことで強いバックスピンをかけて打っていた。
アドレスの方法はハンドファーストでフックフェイスに構えロフトを立ててトウダウンの分ヘッドのトウ側を上げて構える必要があった。
このスイングの方法とアドレスの方法を用いて基本の球筋を打つために、ゴルフクラブのライ角をプレイヤーのライ角よりアップライトに製作されたものが従来のゴルフクラブである。
【考案が解決しようとする課題】
【０００３】従来の技術で述べた基本となっている球筋とスイング方法を全てのゴルフクラブに取り入れている事でロフト角の少ないクラブで打つ時にボールが上がりにくく、曲がりやすいという難点があった。従来のゴルフクラブはロフトどおりにストレートフェイスでアドレスすることができなかった。
本考案はこの課題を解消する為になされたものである。
【解決するための手段】
【０００４】プレイヤーのライ角とゴルフクラブのライ角を同じ角度にする事で、本来のロフト角どおりにストレートフェイスで構える事が出来るようにした。
従来のスイング方法はＶ字軌道になるようにスイングしていたが本考案は、円の軌道を変えずにスイングする事でトウダウンさせることなくボールを打つ方法を用いた。
プレイヤーのライ角の割り出し方は構えた時のグリップエンドの中心軸から垂直に地面までの高さを測定しゴルフクラブの長さに対して三角関数と逆三角関数にて割り出した角度である。
高さからライ角を割り出すやり方
高さ÷ゴルフクラブの長さ＝ＳＩＮ−１（アークサイン）
ライ角から高さを割り出すやり方
ゴルフクラブの長さ×ＳＩＮライ角＝高さ
【考案を実施するための最良の形態】
【０００５】以下、本考案の実施の形態について説明する。
図１のアドレスしたときの高さ１１を図２の高さ１１が同じ高さになるようにライ角６を同じ角度にすることで、図４のロフト角３通りに図３のストレートフェイスなるようにする。
【考案の効果】
【０００６】本考案により各クラブのロフト通りに球が上がり垂直に縦の回転をボールに与えることでストレートボールを打つことが可能になった。
従来の技術を取り入れたゴルフクラブしかなかったが、本考案のゴルフクラブを提供することにより選択肢が増えた。
【図面の簡単な説明】
【０００７】図１
アドレスしたときの高さとライ角を示した横から見た図である。
図２
ゴルフクラブの高さとライ角を示した図である。
図３
上から見たストレートフェイスを示した図である。
図４
ヘッド側から見たロフト角を示した図である。
【符号の説明】
１    ヘッド
２    フェイス
３    ロフト角
４    ネック
５    シャフト
６    ライ角
７    グリップ
８    シャフトの中心軸
９    フェイスの延長線
１０  シャフトの中心軸の延長線
１１  高さ
１２  長さ
【図１】
0003114741.tif 000003
【図２】
0003114741.tif 000004
【図３】
0003114741.tif 000005
【図４】
0003114741.tif 000006
(57)【要約】      （修正有） 【課題】本考案は、円盤とシェルを重ね合わせ自在にチップの個数を増減させたように見せることの出来る手品用の円盤に関するもので、円盤にシェルが嵌っていることを悟られない手品用円盤を提供する。【解決手段】 内部に磁石を有する円盤と、当該円盤と同型同寸の陥没を持つシェルの裏面に鉄板を貼付している２点から構成され、円盤とシェルが磁力により一体化する手品用具。裏表面の円周側から同心円状の複数の溝３を持つ円盤１と、表面にこの円盤と同じ模様を持ち裏面に当該円盤と同型同寸の陥没を持つシェル２からなる。【選択図】図２
0003114786.tif 000002
【実用新案登録請求の範囲】
【請求項１】
内部に磁石を有する円盤と、当該円盤と同型同寸の陥没を持つシェルの裏面に鉄板を貼付している２点から構成され、円盤とシェルが磁力により一体化する手品用具。
【請求項２】
裏表面に同心円状の複数の溝を持つ円盤と、表面にこの円盤と同じ模様を持ち裏面に当該円盤と同型同寸の陥没を持つシェルからなる手品用具。
【考案の詳細な説明】
【技術分野】
【０００１】
本考案は、円盤とシェルを重ね合わせ自在にチップの個数を増減させたように見せることの出来る手品用の円盤に関するものである。
【考案の開示】
【考案が解決しようとする課題】
【０００２】
本考案では、円盤にシェルが嵌っていることを悟られない手品用円盤を提供するものである。
【課題を解決するための手段】
【０００３】
裏表面に同心円状の複数の溝３を持つ円盤１と、表面にこの円盤と同じ模様を持ち裏面に当該円盤と同型同寸の陥没を持つシェル２からなる手品用具である。
【考案の効果】
【０００４】
円盤１とシェル２が磁力により一体となるため第三者に手渡しても、円盤１とシェル２が一体になっていることが分からない。
円盤１とシェル２が一体になった時、そのシェルと円盤の境界６と、同心円状の溝３とが、きわめて区別しにくい為、円盤１とシェル２が一体になっていることを悟られにくい。
【図面の簡単な説明】
【０００５】
【図１】本考案の断面図である。
【図２】本考案の円盤とシェルを嵌め込んだ使用状態を表す断面の説明図である。
【符号の説明】
【０００６】
１  円盤
２  シェル
３  同心円状の溝
４  鉄板
５  磁石
６  シェルと円盤の境界
【図１】
0003114786.tif 000003
【図２】
0003114786.tif 000004
【手続補正書】
【提出日】平成17年6月21日(2005.6.21)
【手続補正１】
【補正対象書類名】実用新案登録請求の範囲
【補正対象項目名】全文
【補正方法】変更
【補正の内容】
【実用新案登録請求の範囲】
【請求項１】
内部に磁石を有する円盤と、当該円盤と同型同寸の陥没を持つシェルの裏面に鉄板を貼付している２点から構成され、円盤とシェルが磁力により一体化する手品用具。
【請求項２】
裏表面に同心円状の複数の溝を持つ円盤と、表面にこの円盤と同じ模様を持ち裏面に当該円盤と同型同寸の陥没を持つシェルからなる請求項１記載の手品用具。
(57)【要約】      （修正有）【課題】釣り操作中に糸の撚りを防止して、撚れた糸の撚れを解くために何度も釣りを中断しなければならない煩雑を解消するための釣り用スピニングリールの糸撚り防止ラインローラーを提供する。【解決手段】釣り用スピニングリールの糸撚れ防止ラインローラの外周面に糸誘導用螺旋溝２と、前記ラインローラー１の両端に、糸ストッパー３と始端糸ストッパー５と傾斜部７を設ける。【選択図】図２
0003114787.tif 000002
【実用新案登録請求の範囲】
【請求項１】
外周部に糸誘導用螺旋溝２が配設されているラインローラー１と、前記ラインローラー１の内部に形成された回転のための軸４とを有することを特徴とする釣り用スピニングリールの糸撚り防止ラインローラー
【請求項２】
請求項１において、前記ラインローラー１の両端には、糸６の離脱を防止するための終端糸ストッパー３と始端糸ストッパー５が形成されており、糸が容易に滑り下るよう傾斜部７が形成されていることを特徴とする釣り用スピニングリールの糸撚り防止ラインローラー。
【考案の詳細な説明】
【技術分野】
【０００１】  本考案は、釣用リールに用いるためのラインローラーの形状に関する。
【背景技術】
【０００２】  従来の釣り用スピニングリールを使用するとき、糸が撚れたままスプールに巻かれるため、安定した巻き出しができず、また撚り癖は糸の断面を著しく変形させ、その結果糸の強度が下がり切れやすくなる問題が生じるようになるが、この場合撚られた糸を解いてスピニングリールを使用してきた。
【考案の開示】
【考案が解決しようとする課題】
【０００３】しかしながら、撚りのかかった釣り糸を解くには何度も糸を出し、また巻く動作を繰り返すことによって、釣りを中断しなければならず釣り操作に支障をきたしてきた。【０００４】上記の如き問題点を解決するための本考案の目的は、釣り操作中に糸の撚りを防止して、撚れた糸の撚れを解くために何度も釣りを中断しなければならない煩雑を解消するための釣り用スピニングリールの糸撚り防止ラインローラーを提供するにある。
【課題を解決するための手段】
【０００５】以上の課題を解決するために、上記の如き本考案の目的を達成するための釣り用スピニングリールの糸撚り防止ラインローラー装置は、ローラーの外周面に糸誘導用螺旋溝と、前記ラインローラー１の両端には、糸６の離脱を防止するための終端糸ストッパー３と始端糸ストッパー５が形成されており、糸が容易に滑り下るよう傾斜部７が形成されていることを特徴とする。
【考案の効果】
【０００６】第１考案によれば、釣り用スピニングリールの前記ラインローラー１の外周面に前記糸誘導用螺旋溝２を形成し回転させることで前記糸６を終端へ繰り出しを行い、糸の撚りが偏ることなくスプール１２に巻き取ることができる。または第２考案によれば、前記ラインローラー１の両端に前記糸ストッパーを形成することで終端に前記糸６が当接すると前記糸誘導用螺旋溝２から押し出し、容易に滑り下るよう前記傾斜部７を設け前記糸誘導用螺旋溝の始端へ戻し、継続的に糸６をラインローラー１の始端から終端へ糸を繰り出すことができ、又撚れと反対方向に糸を強制的に回転させ撚りを戻すことができる。
【考案を実施するための最良の形態】
【０００７】この考案の実施形態を、図を参照して詳細に説明する。
図１に示すとおり、釣り用スピニングリールは本体１０と、前記本体１０に結着されて糸を巻いたり解くときに回転させるための取手１１と、前記本体１０の上端部に配設されて回転するスプール１２と、前記スプール１２の一端部に配設されて上・下に方向を切り換えて糸を巻いたり解くことができるようにガイドするベール１３と、釣糸を巻取る巻取り位置と、放出する放出位置とに反転自在に支持されたアームレバー１４と、ベール１３の端部を取り付けて前記アームレバー１４に固定されている両部材間に配設されて回転自在なラインローラー１で構成されている。【０００８】図２に示す通り、前記ラインローラー１と、前記ラインローラー１の内部に形成された回転のための軸４と前記糸誘導用螺旋溝２と前記糸誘導用螺旋溝２の終端に誘導された糸６を溝から押し出す終端糸ストッパー３と、糸６が容易に滑り下るよう傾斜部７と、前記糸６を糸誘導螺旋溝の始端に誘導する始端糸ストッパー５が配設されている。【０００９】上記の通り構成された本考案の作用・効果を記述すると次の通りである。【００１０】先ず、片手で前記本体１０をつかみ他の片手で前記取手１１を回すと、前記スプール１２に巻かれていた糸６はラインローラー外周部に配設されている糸誘導用螺旋溝２にガイドされる。【００１１】それで、前記糸６はそれ自体の張力により上記ラインローラー１の前記糸誘導用螺旋溝２に沿って（図面上の右へ）移動するようになる。これに従って、上記糸６は、第３図に示す通り、前記ラインローラー１の右側へ移動される。【００１２】そして、第３図に示す通り、前記糸６が右側へ移動されると、前記ラインローラー１の終端に達し、前記終端糸ストッパー３と前記糸誘導用螺旋溝２の間に壁が生じ、前記糸６は前記糸誘導用螺旋溝２から押し出され傾斜部７に置かれるようになる。【００１３】故に、第４図に示す通り、前記傾斜部７に置かれた糸６は、容易に滑り下り（図面場の左へ）移動するようになる。すると撚れと反対方向に糸を強制的に回転させ撚りを戻し、始端糸ストッパー５の壁まで下ることによって、前記糸６は前記始端糸誘導用螺旋溝２に再びガイドされるようになる。【００１４】そして、上記糸誘導用螺旋溝２のガイドにより、糸６をスプール１２に解いたり巻く場合に糸６が撚られない。
【実施例】
【００１５】この実態例によれば、本考案の釣り用スピニングリールの糸撚り止めラインローラーは、前記糸誘導用螺旋溝２の働きで、前記糸６が一定の間隔に誘導し糸が撚りにくくする。また撚れが生じた場合も前記傾斜部７の働きで、前記糸６を撚れと反対方向に強制的に回転させ、撚りが解かれるようにする非常に有用な考案である。
【図面の簡単な説明】
【００１６】
【図１】釣り用スピニングリールを概略的に示す組立図である。
【図２】ラインローラーが配設されている状態を示す横面図である。
【図３】糸が糸誘導用螺旋溝のガイドにより移動された状態を示す横面図である。
【符号の説明】
【００１７】１０・・本体
１１・・取っ手
１２・・スプール
１３・・ベール
１４・・アームレバー
１・・ラインローラー
２・・糸誘導用螺旋溝
３・・終端糸ストッパー
４・・軸
５・・始端糸ストッパー
６・・糸
７・・傾斜部
【図１】
0003114787.tif 000003
【図２】
0003114787.tif 000004
【図３】
0003114787.tif 000005
【図４】
0003114787.tif 000006
【手続補正書】
【提出日】平成17年7月14日(2005.7.14)
【手続補正１】
【補正対象書類名】明細書
【補正対象項目名】００１６
【補正方法】変更
【補正の内容】
【００１６】
【図１】釣り用スピニングリールを概略的に示す組立図である。
【図２】ラインローラーが配設されている状態を示す横面図である。
【図３】糸が糸誘導用螺旋溝のガイドにより移動された状態を示す横面図である。
【図４】糸が傾斜部を滑り下り、撚れと反対方向に糸を強制的に回転させ撚りを戻す状態を示す横面図である。
(57)【要約】      （修正有）【課題】冬の朝、服を着たまま腕まくりして、洗面所にてシャンプー洗髪整髪しても服が濡れず、迅速に終了できるベストを考案する。【解決手段】防寒用ベストを丈４を短かくし、止具の数を減し、コンパクトで防水性を有し、肩には翼３を設け、首の前の前端部に面ファスナー５を装着し、水濡れ防止可能とし、洗面所に常備する事によって迅速に使用可能なシャンプー用ベスト８である。【選択図】図１
0003114784.tif 000002
【実用新案登録請求の範囲】
【請求項１】
発泡性のクッションを表裏２枚の布で挟んだベストで、表は防水性とキルティング加工を有し、肩には翼を縫い付け、胸元は止具を有し、首の後は水濡れを防ぐ衿を高く設け、首の前は前かがみになった時、窮屈でない様に低くなっており、その前端部に面ファスナーを装着し、首への水の浸入を防止可能とし、丈は短寸としたことを特徴とするシャンプー用ベスト。
【請求項２】
請求項１の肩濡れ防止用の翼は縫い付ける型式か、ベスト本体と一体型式のどちらでも可能であるが、たれ下がっているのでなく、水濡れ防止効果を発揮する為に持ち上がっている事を特徴とし、水平方向への長さは３０ｍｍ〜７０ｍｍの範囲とするシャンプー用ベスト。
【請求項３】
請求項１の胸元の止具はプッシュボタン式、くぐり止め型ボタン式、面ファスナー式のどれでも可能であるが、面ファスナー式の場合には、強度を保持する為に表布から裏布まで縫い付けた形式とし、ベストの丈は３００ｍｍ〜５００ｍｍの範囲とする事を特徴とするシャンプー用ベスト。
【考案の詳細な説明】
【技術分野】
【０００１】  本考案は服を着たままシャンプーしても濡れず、迅速に洗髪、整髪が終了できるシャンプー用ベストに関するものである。
【背景技術】
【０００２】  冬の朝、上半身を裸になってシャンプーするのは寒いし、タオルをまとってシャンプーしても水が浸透している所がある。
【考案の開示】
【考案が解決しようとする課題】
【０００３】  洗面所に歯ブラシやヒゲソリが常備してあるように、朝のシャンプー時に常備しておける服濡れ防止の為のコンパクトなベストを考案する事によって前述の欠点を解決しようとするものである。
【課題を解決するための手段】
【０００４】  袖を腕まくりし、前屈みになってシャンプーする時、濡れる心配があるのは肩と首の後であるから、肩には翼を縫い付け、首の後は高い衿を有し、窮屈でない様に首の前は低く設計し、その前端部に設けた面ファスナーにて、首全周をほど良く締めつけて、水の浸入を防ぐ構成となっているベストを考案する事によって問題点を解決している。
【考案の効果】
【０００５】  トイレに手拭用のタオルが常備されているのと同様に、シャンプー用ベストが洗面所に常備されていると迅速に洗髪、整髪が終了でき、便利である。
【考案を実施する為の最良の形態】
【０００６】  肩濡れ防止用の翼は３０ｍｍ以下だと激しく洗髪した時に水しぶきが肩に沢山降りかかり易くて不適当であり、また７０ｍｍ以上の場合、使用後洗面所に吊して常備した時、大きすぎて邪魔な感じが大で不適当であり、好ましくは４０ｍｍ〜６０ｍｍが最良の形態であり、さらにベストの丈は３００ｍｍ以下だと激しく洗髪した時に水しぶきが後身ごろの下部中央に沢山降りかかり易くて不適当であり、また５００ｍｍ以上の場合、洗面所に吊して常備した時、上着が乾してある不快感が大で不適当であり、好ましくは３５０ｍｍ〜４００ｍｍが最良の形態である。
【実施例】
【０００７】  以下添付図面にて実施例を説明すると、８本案を装着し、２図の２止具を留め、２図の５面ファスナーを締めてから、首に水が浸入しない状熊とし、前屈みになってシャンプー及び洗髪を行うが、２図の１翼を設けているので肩に水が浸入しない。その後鏡に向ってドライヤーにて整髪し、終了後はハンガーに装着し、洗面所の片隅に設けたフックに吊して常備しておく。
【図１】
0003114784.tif 000003
【図２】
0003114784.tif 000004
【図３】
0003114784.tif 000005
【手続補正書】
【提出日】平成17年7月19日(2005.7.19)
【手続補正１】
【補正対象書類名】明細書
【補正対象項目名】全文
【補正方法】変更
【補正の内容】
【考案の詳細な説明】
【技術分野】
【０００１】  本考案は服を着たままシャンプーしても濡れず、迅速に洗髪、整髪が終了できるシャンプー用ベストに関するものである。
【背景技術】
【０００２】  冬の朝、上半身を裸になってシャンプーするのは寒いし、タオルをまとってシャンプーしても水が浸透している所がある。
【考案の開示】
【考案が解決しようとする課題】
【０００３】  洗面所に歯ブラシやヒゲソリが常備してあるように、朝のシャンプー時に常備しておける服濡れ防止の為のコンパクトなベストを考案する事によって前述の欠点を解決しようとするものである。
【課題を解決するための手段】
【０００４】  袖を腕まくりし、前屈みになってシャンプーする時、濡れる心配があるのは肩と首の後であるから、肩には翼を縫い付け、首の後は高い衿を有し、窮屈でない様に首の前は低く設計し、その前端部に設けた面ファスナーにて、首全周をほど良く締めつけて、水の浸入を防ぐ構成となっているベストを考案する事によって問題点を解決している。
【考案の効果】
【０００５】  トイレに手拭用のタオルが常備されているのと同様に、シャンプー用ベストが洗面所に常備されていると迅速に洗髪、整髪が終了でき、便利である。
【考案を実施する為の最良の形態】
【０００６】  肩濡れ防止用の翼は３０ｍｍ以下だと激しく洗髪した時に水しぶきが肩に沢山降りかかり易くて不適当であり、また７０ｍｍ以上の場合、使用後洗面所に吊して常備した時、大きすぎて邪魔な感じが大で不適当であり、好ましくは、４０ｍｍ〜６０ｍｍが最良の形態であり、さらにベストの丈は３００ｍｍ以下だと激しく洗髪した時に水しぶきが後見ごろの下部中央に沢山降りかかり易くて不適当であり、また５００ｍｍ以上の場合、洗面所に吊して常備した時、上着が乾してある不快感が大で不適当であり、好ましくは３５０ｍｍ〜４００ｍｍが最良の形態である。
【実施例】
【０００７】  以下添付図面にて実施例を設明すると、８本案を装着し、２図の２止具を留め、２図の５面ファスナーを締めてから、首に水が浸入しない状熊とし、前屈みになってシャンプー及び洗髪を行うが、２図の１翼を設けているので肩に水が浸入しない。その後鏡に向ってドライヤーにて整髪し、終了後はハンガーに装着し、洗面所の片隅に設けたフックに吊して常備しておく。
【図面の簡単な説明】
【０００８】
【図１】  本考案のシャンプー用ベストの側面図である。
【図２】  本考案のシャンプー用ベストの正面図である。
【図３】  本考案のシャンプー用ベストの平面図である。
【符号の説明】
【０００９】１  翼
２  止具
３  衿
４  ベストの丈
５  面ファスナー
６  キルティング加工
８  シャンプー用ベスト
【手続補正２】
【補正対象書類名】図面
【補正対象項目名】図１
【補正方法】変更
【補正の内容】
【図１】
0003114784.tif 000006
(57)【要約】      （修正有）【課題】省力化、効率化を計る。【解決手段】この草取り工具は、草の根に付着した土を、分離出来る様に金鋤を弓なりにし、二段の間隔ガイドで間隔を保持し、前段の間隔ガイドよりも後段の間隔ガイドの巾を広くし土を落し易くしている。また同時に、金鋤の下側を矢尻の様に細くし土を落し易くしている。植え込みの狭い街路樹の下草等の除草には、巾の狭い連鎖の物を使用する等、草を取る場所、面積等の作業環境によって連鎖の個数を、増減し何種類かの工具で対応する。【選択図】図１
0003114788.tif 000002
【実用新案登録請求の範囲】
【請求項１】
巾の狭い弓なりに反った金鋤を連鎖させた草取り工具で、この工具を手前に引く事により金鋤の先が草の根に食い込み、更に引くと草の根は土と分離しながら上部に競り上がり草が取れる。
草と土が分離し易い様に、金鋤の開先の入口の巾よりも出口の巾を広げ、土を落しやすく、更に金鋤の下側も広げ土を落ちやすくしている。
【考案の詳細な説明】
【考案の詳細な説明】
【技術分野】
【０００１】  巾の狭い金鋤を二段の間隔ガイドで連鎖させ、前段の間隔ガイドよりも後段の間隔ガイドの巾を広めにする。
更に金鋤の下側を矢尻の様に細くし、土を落し易くする。
【背景技術】
【０００２】  手で草を取たり、鍬や鎌を使って草を取っている。
【考案が解決しようとする課題】
【０００３】  本提案も人力によるものですが、これを省力化し効率化を計るため従来の農機具の形、特性を活かし、巾の狭い金鋤を連鎖させる事で効率化を計る。
草の根に付着した土を、分離出来る様に金鋤を弓なりにし、二段の間隔ガイドで間隔を保持し、前段の間隔ガイドよりも後段の間隔ガイドの巾を広くし土を落し易くする。
また同時に金鋤の下側を矢尻の様に細くし土を落し易くする。
【考案が解決するための手段】
【０００４】  金鋤の矢尻の部分を下向きに、弓なりに折り曲げ、矢尻の部分に間隔ガイド用の孔を空け、ガイド材を溶着し規定の間隔で金鋤を連鎖する。
【０００５】  間隔ガイドは二段とし、前段の間隔ガイド巾よりも後段の間隔ガイドを広くする。
【０００６】  草の根の食い込みを良くする為、金鋤の上部に錘を取り付け地面の硬い箇所でも容易に地面に食い込み草取りが出来る様にする。
【考案の実施するための最良の形態】
【０００７】  弓なりの形をした金鋤を、規定の間隔で連鎖した物を熊手の様に上部で纏め、ここに錘と柄を取り付ける。
【考案の効果】
【０００８】  草を直接手で取らずに、金鋤の連鎖した巾の面積の草が一度に取れ草取りが早く、効率化、省力化が計られる。
更には植え込みの狭い街路樹の下草等の除草には、巾の狭い連鎖の物を使用する等、草を取る場所、面積等の作業環境によって連鎖の個数を増減し何種類かの工具で対応する。
【図面の簡単な説明】
【０００９】
【図１】  １．弓なり草鋤金物を２．３．間隔ガイド（前段・後段）で連鎖し、上部は熊手の様に纏め、ここに４．錘と５．柄を取り付ける。
【図２】  １．弓なり草鋤金物は６．金鋤金物下部断面詳細の様に下部を矢尻の先の様に細くし、草の根に着いた土を落ち易くする。また先端部は７．反り返し部を付け水平面での安定をはかる。１．弓なり草鋤金物の配列は作業環境によるが通常は１０〜１３列とする。３．間隔ガイド（後段）の連鎖の巾は２．間隔ガイド（前段）の連鎖の巾よりも広くし、前段で鋤いた土を後段で落とす。２．間隔ガイド（前段）の巾は３〜５ｍｍ程度とする。８．間隔ガイド孔は１．弓なり草鋤金物の上、下に孔を空けガイド材を溶着する。
【符号の説明】
【００１０】１．弓なり草鋤金物              ５．柄
２．間隔ガイド（前段）          ６．金鋤金物下部断面詳細
３．間隔ガイド（後段）          ７．反り返し部
４．錘                          ８．間隔ガイド孔
【図１】
0003114788.tif 000003
【図２】
0003114788.tif 000004
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
【実用新案登録請求の範囲】
【請求項１】
巾の狭い弓なりに反った金鋤を連鎖させた草取り工具。
(57)【要約】      （修正有）【課題】自動車のボトルホルダーに合わせたサイズのフタをかぶせた水筒を作ることにより、自動車内での水筒の使用を容易にする。【解決手段】自動車のボトルホルダー８に合わせて、フタ１の開口部７の外径Ａが７０ミリメートル以内、深さＢが６５ミリメートルを超えた大きさであり、そのフタの形状が底がある筒形となされているフタ１をかぶせた水筒を作り、このフタ１をコップとして使うことにより、ボトルホルダー８を利用できるため、自動車内での水筒の使用を容易にし、飲料を零して自動車内を汚すこともなく、また、片手で水筒のフタ１を持ったまま運転する必要もなくなり、安全運転の推進にも役立つ。【選択図】図３
0003114770.tif 000002
【実用新案登録請求の範囲】
【請求項１】
自動車のボトルホルダーに合わせて、フタの開口部の外径が７０ミリメートル以内、深さが６５ミリメートルを超えた大きさであり、そのフタの形状が、底がある筒形となされていることを特徴とするフタをかぶせた水筒。
【考案の詳細な説明】
【技術分野】
【０００１】  本考案は、自動車のボトルホルダーに合わせたフタをかぶせた水筒に関するものである。
【背景技術】
【０００２】  自動車内において水筒を使用する場合、ボトルホルダーに適合するようなフタを有する水筒がない。
【考案の開示】
【考案が解決しようとする課題】
【０００３】  自動車内において水筒を使用する場合、ボトルホルダーに適合するようなフタを有する水筒がないため、従来の水筒のフタを無理に使用することにより、飲料を零して自動車内を汚したり、片手で水筒のフタを持ったまま運転して安全運転の妨げになる等、水筒の使用が困難になっている。従ってボトルホルダーに合わせたサイズのフタをかぶせた水筒を作り、このフタをコップとして利用することにより自動車内での水筒の使用を容易にし、前述の欠点を解決しようとするものである。
【課題を解決するための手段】
【０００４】  本考案は自動車のボトルホルダーに合わせて、フタの開口部の外径が７０ミリメートル以内、深さが６５ミリメートルを超えた大きさであり、そのフタの形状が、底がある筒形となされていることを特徴とするフタをかぶせた水筒を作ることにより問題点を解決している。本考案の水筒に用いるフタ及び本体の素材としては、耐熱性プラスチックスやステンレスなど、熱湯に耐えて、成型しやすい素材であればよい。
【考案の効果】
【０００５】  上述の様に、本考案の自動車のボトルホルダーに合わせたサイズのフタをかぶせた水筒を作ることにより、ボトルホルダーを利用できるため、自動車内での水筒の使用を容易にし、飲料を零して自動車内を汚すこともなく、また、片手で水筒のフタを持ったまま運転する必要もなくなり、安全運転の推進にも役立つ。さらに、旅客運搬を目的とした、バス、列車、船などのボトルホルダーにも利用できる。
【考案の実施するための最良の形態】
【０００６】
【実施例】
【０００７】  本考案の実施の一例を添付図面を用いて説明する。水筒９の素材は、耐熱性プラスチックスを使用し、円筒状のフタ１のサイズとしては、フタ１の開口部７の外径Ａを６８ミリメートルにして、自動車に設置されているボトルホルダー８に収まる様にし、フタ１の深さＢを７０ミリメートルにして、ボトルホルダー８からの出し入れを容易にした。さらに、外側底面３を、安定させるため平らにし、内側底面５を、洗浄が容易にできる様に、角のない摺鉢状にした。図３は本考案の水筒９のフタ１を実際に使用している状況を示す説明図である。このフタをコップとして利用したところ、非常に使いやすく便利であった。
【図面の簡単な説明】
【０００８】
【図１】本考案の水筒の説明図である。
【図２】図１のフタの断面図である。
【図３】本考案の水筒のフタを実際に使用している状況を示す説明図である。
【符号の説明】
【０００９】１  フタ
２  本体
３  フタの外側底面
４  フタの外側側面
５  フタの内側底面
６  フタの内側側面
７  フタの開口部
８  ボトルホルダー
９  水筒
Ａ  フタの開口部の外径
Ｂ  フタの深さ
【図１】
0003114770.tif 000003
【図２】
0003114770.tif 000004
【図３】
0003114770.tif 000005
【手続補正書】
【提出日】平成17年6月23日(2005.6.23)
【手続補正１】
【補正対象書類名】実用新案登録請求の範囲
【補正対象項目名】全文
【補正方法】変更
【補正の内容】
【実用新案登録請求の範囲】
【請求項１】
水筒本体にフタをかぶせる形式の水筒であって、そのフタのサイズ及び形状が、自動車のボトルホルダーに合わせて、フタの開口部の外径が７０ミリメートル以内、深さが６５ミリメートルを超えた大きさであり、底がある筒形となされていることを特徴とするフタをかぶせた水筒。
(57)【要約】      （修正有）【課題】鉛筆やボールペン、筆等を正しく持てるようになる器具を提供する。【解決手段】鉛筆の先端部分に密着する筒Ｄ−１またはＤ−２を差し込み、少し固めのゴム又は合成樹脂で出来た手袋の親指、人差し指、中指の先端部分を切り取り、筒  Ｄ−１又はＤ−２に接着剤でつける。つける位置は鉛筆を正しくもった位置にし、これに指を差し込んで、正しく鉛筆を持つ練習をする。【選択図】図−２
0003114762.tif 000002
【実用新案登録請求の範囲】
【請求項１】
鉛筆・ボールペン・筆、等に密着したゴム・合成樹脂の筒に少し固めのゴム・合成樹脂製の手袋の先端部分を切り取り、接着剤で付ける。
付ける位置は鉛筆、等を正しく持った時の親指・人差し指・中指の位置。
【考案の詳細な説明】
【考案の詳細な説明】
【０００１】［考案の属する技術分野］
この考案は鉛筆・ボールペン・筆・シャープペンシル等を正しく持てるようになり、正しく持つことにより、字を上手に書けるようになります。
【０００２】［従来の技術］
従来、両親・兄弟・祖父母・先生により教えてもらっていましたが、教え方が悪かったり、覚える気がなかったりして、正しく持てない人がたくさんいます。
【０００３】［考案が解決しょうとする課題］
（イ）  子供が覚える気になった時、根気に何回も教えなければなりません。
【０００４】［課題を解決するための手段］
（イ）  子供が自分一人で、好きな時に練習出来ることです。そこで、鉛筆の先端部分（削ってない部分）に密着する筒（ゴム・合成樹脂製）Ｄ−１またはＤ−２を差し込みます。ただしＤ−１、Ｄ−２が鉛筆にひっつかないように小さな穴をあけたり、凸凹をつけたりします。
（ロ）  少し固めのゴム又は合成樹脂で出来た手袋の親指、人差し指、中指の先端部分を切り取り、筒  Ｄ−１又はＤ−２に接着剤でつける。つける位置は鉛筆を正しくもった位置です。
（ハ）  子供が使う時に間違わないために、親指には（おや）、人差し指には（ひと）、中指には（なか）、と書き込む。又、各指の色を変えます。
又、切り取った手袋の先端部分に汗をかかない為に小さな穴をあける。
（ニ）  ボールペン、シャープペンシル、筆、等の場合は、筒Ｄ−１，Ｄ−２を使わずに直接接着剤でつけます。
【０００５】［考案の実施の形態］
（イ）  ［図−１］のように鉛筆に挿入された筒Ｄ−１又はＤ−２に装着された［図−２］のＡ，Ｂ，Ｃ（ゴム製、合成樹脂製の手袋の親指、人差し指、中指の先端部分を切り取ったもの）に（おや）、（ひと）、（中）、と書かれたところに、親指、人差し指、中指、をさしこむ。
（ロ）  ボールペン、シャープペンシル、筆、等の場合は筒Ｄ−１又は、Ｄ−２を使わずにＡ・Ｂ・Ｃ、を直接を装着してもよい。
【０００６】［考案の効果］
何回も何回も繰り返し教えなければ、覚えてくれなかった鉛筆の持ち方も、この考案を置いておくだけで、子供が勝手に指をさしこんで正しく鉛筆を持てるようになっています。
【図面の簡単な説明】［図−１］  本考案を手につけた斜視図である。
［図−２］  ゴム、又は合成樹脂製の手袋の先端部を切り取ったものである。
Ａ−親指（おや）、Ｂ−人差し指（ひと）、Ｃ−中指（なか）（  ）内は各指の略語です。  Ａ，Ｂ，Ｃは色を変えています。
Ｄ−１、Ｄ−２、は鉛筆がぴったりはいるゴム又は合成樹脂製の筒で、小さい穴をあけたり、凸凹をつけて、移動し易くしています。
【図−１】
0003114762.tif 000003
【図−２】
0003114762.tif 000004
【手続補正書】
【提出日】平成17年6月23日(2005.6.23)
【手続補正１】
【補正対象書類名】実用新案登録請求の範囲
【補正対象項目名】全文
【補正方法】変更
【補正の内容】
【実用新案登録請求の範囲】
【請求項１】
鉛筆・ボールペン・筆、等に密着したゴム・合成樹脂の筒に、少し固めのゴム・合成樹脂製の手袋の先端部分を切り取り、鉛筆・筆、等を正しく持った時の親指・人差し指・中指の位置につける。
以上からなる、鉛筆やボールペン・筆、等を正しく持てるようになる器具。
(57)【要約】      （修正有）【課題】防風ネット等２ｍ近くのパイプ支柱を建てる場合、不安定な地面で、安全に簡単に作業できる支柱セットを提供する。【解決手段】支柱を、埋め込み用のパイプと支柱用のパイプに別々にすることによって、埋め込むパイプを短くできるので、安全で強力に打ち込むことができる。【選択図】図５
0003114768.tif 000002
【実用新案登録請求の範囲】
【請求項１】
埋め込み用パイプと、その埋め込み用パイプの管内にさし込む小径の支柱パイプ、および両パイプを固定するボルトからなる支柱セット。
【請求項２】
埋め込み用パイプの下端はプレスで偏平にし、支柱パイプと埋め込み用パイプには両者を固定するためのボルト穴をあける。
【考案の詳細な説明】
【技術分野】
【０００１】  本考案は、野菜等の防風防寒ネットやぶどう棚等の支柱に関するものである。
【背景技術】
【０００２】  埋め込み用パイプと、支柱パイプに分けた物があるが、埋め込みパイプの加工が複雑なこと、接合部に、特別な部品（張出部材）や、且つ打ち込み用金具、補助板を必要とし、かなりの制作費がかかる。老人世帯の増加等からしてもより安価で、取付が簡単でなければならない。［例えば、特許文献２参照。］
【特許文献１】登録実用新案  ３０５２８２９号公報
【特許文献２】登録実用新案  ３０３４００２号公報
【考案の開示】
【考案が解決しようとする課題】
【０００３】  上記、従来技術等は一般に市販されていない。加工や付属品等で安価にできなかったと思われる。広く皆に、利用してもらうためには、安価でしかも、設置が簡単でなければならない。本考案は、加工を少なくし、キャップは市販の水道用パイプのニップルとキャップの組み合わせをそのまま利用する。
【課題を解決するための手段】
【０００４】  地面に打ち込む埋め込みパイプと、そのパイプにさし込む径の小さな支柱パイプに分け、両パイプはボルトで固定する。
【考案の効果】
【０００５】  埋め込み用パイプは、５０〜６０ｃｍと短く、且つ下端をプレスで平たくしてあり、キャップをかぶせてたたくので、お年寄や、女性１人でも、十分可能であり、又、支柱の長さを適度にすれば、高い棚でも設置できる。
【考案を実施するための最良の形態】
【０００６】  図１、図２は地中に打ち込む埋め込み用パイプである。
図１は正面図、図２は側面図である。図３は埋め込み用パイプを地中に打ち込む時に使用するキャップである。図４は、埋め込み用パイプにさし込む支柱である。図５は左より右へ作業手順を示す。【０００７】  管体１は、地中に入りやすくするため、下端をプレス加工するが、漏水のため、完全圧着はしない。図３におけるキャップは、市販の水道用ニップルとキャップの組み合わせである。図４における支柱は、管体１にさし込むため、自由に出し入れできる外径の管体であり、必要な長さに切断して、管体１と固定するためのボルト穴をあける。
【図面の簡単な説明】
【０００８】
0003114768.tif 000003
【図３】は市販の水道用ニップルとキャップを組み合わせたキャップである。
【図４】は埋め込みパイプにさし込む支柱である。
【図５】は作業手順を示す。
【符号の説明】
【０００９】  Ａ  埋め込みパイプ
Ｂ  打ち込み用キャップ
Ｃ  支柱
Ｄ  ハンマー
【図１】
0003114768.tif 000004
【図２】
0003114768.tif 000005
【図３】
0003114768.tif 000006
【図４】
0003114768.tif 000007
【図５】
0003114768.tif 000008
【手続補正書】
【提出日】平成17年6月29日(2005.6.29)
【手続補正１】
【補正対象書類名】実用新案登録請求の範囲
【補正対象項目名】請求項２
【補正方法】変更
【補正の内容】
【請求項２】
埋め込み用パイプの下端はプレスで偏平にし、支柱パイプと埋め込み用パイプには両者を固定するためのボルト穴をあけてある支柱セット。
(57)【要約】      （修正有）【課題】海苔に直接触ることなく食べることのできる海苔とご飯が分けて包装されたおにぎり、のりまき等の提供。【解決手段】海苔と外側のシートの間に海苔に直接触らないで持つためのシートを設ける。【選択図】図４
0003114766.tif 000002
【実用新案登録請求の範囲】
【請求項１】
外側のシートの内側にご飯の加工食品に直接手を触れないで持てるようにするためのシートを設けたことを特徴とするご飯の加工食品用の包装用資材である
【考案の詳細な説明】
【技術分野】
【０００１】  本考案は、ご飯の加工食品の包装用資材の構成関するものである。
【背景技術】
【０００２】  例えば従来のおにぎりやのりまきの包装材料は、図３に示すように、外側のシートと内側シートの間に海苔をはさみご飯の加工食品を包むものと図５に示すように外側のシートでご飯の加工食品を包むものであった。
【考案の開示】
【考案が解決しようとする課題】
【０００３】しかしながら、以上の技術によれば食べようとする時におにぎりやのりまきの外側のシートを取り外すとおにぎりやのりまきの、海苔やご飯の加工食品に直接手を触れないと持つことができないので不衛生であった。
そこで、本考案は、海苔やご飯の加工食品に直接触らないでおにぎりやのりまきのを持つことを課題とする。
【課題を解決するための手段】
【０００４】  以上の課題を解決するために、海苔やご飯の加工食品と外側のシートの間に、のりに直接手を触れないためのシートを設けたことを特徴とする包装用資材である。
【考案の効果】
【０００５】  本考案によれば、おにぎりやのりまきの外側のシートを取り外した時に海苔やご飯の加工食品に直接手を触れないで持つためのシートが残るのでこのシートの上から持てば直接海苔やご飯の加工食品に触らないで持てるのでの衛生的である
【考案を実施するための最良の形態】
【０００６】  本考案の実施形態を、図４に示す外側シートを取り外せば、直接手を触れないためのシートが残るのでこのシートの上から持って内側シートをとりはずす。【０００７】「実施形態の効果」
この実施形態によれば、外側シートを取り外したときにシートの上からおにぎりを持つため海苔に直接触ることがないので衛生的である。またのりと外側シートの間に、のりに直接触らないで持つためのシートがあるので海苔がちぎれて外側シートに残ることも無い。
【図面の簡単な説明】
【０００９】
【図１】従来技術を包装資材示す構成図である。
【図２】本考案の包装資材示す構成図である。
【図３】従来技術の実施形態を示す説明図である
【図４】本考案の実施形態を示す説明図である。
【符号の説明】
【００１０】    １１３外側シート        １１１海苔
１１０内側シート        １１４のりに直接触らないで持つためのシート
１１５ご飯の加工食品
【図１】
0003114766.tif 000003
【図２】
0003114766.tif 000004
【図３】
0003114766.tif 000005
【図４】
0003114766.tif 000006
【図５】
0003114766.tif 000007
【手続補正書】
【提出日】平成17年6月14日(2005.6.14)
【手続補正１】
【補正対象書類名】明細書
【補正対象項目名】０００９
【補正方法】変更
【補正の内容】
【０００９】
【図１】従来技術を包装資材示す構成図である。
【図２】本考案の包装資材示す構成図である。
【図３】従来技術の実施形態を示す説明図である
【図４】本考案の内側のシートがある物の実施形態を示す説明図である。
【図５】本考案の内側のシートが無い物の実施形態を示す説明図である。
(57)【要約】【課題】  本案は読み終わった新聞をちらかす事無く、簡単に収納整理が出来、収納後の処置も楽に出来る効果性に優れた用具を提供するものである。又資源再利用の観点から手段として最も必要である。【解決手段】  本考案は用具に新聞を収納し、満タンになったら四箇所の空き間より新聞をガムテープで止め、取り出す。ヒモ等を使用する必要が無くしっかりと止められるのが特徴である。又用具の底面にキャスターを取り付ける事により、室内での移動が自由に出来る為、場所を選ぶ事なく置く事が出来る。【選択図】  図６
0003114765.tif 000002
【実用新案登録請求の範囲】
本文で説明し、図示する「新聞収納ストッカー」の一切
【考案の詳細な説明】
【考案の詳細な説明】
（１）  考案の目的本案は、従来からある読み終った新聞整理保管方法の非合理性に着眼しその合理性と効果上昇の目的にて考案したものである。（２）  考案の構成プラスチック及びこれに代わるべき材質により成る２面の（Ａ）（Ｂ）（Ｃ）（Ｄ）及び底板（Ｅ）により構成する。２面の（Ａ）（Ｂ）（Ｃ）（Ｄ）は底板（Ｅ）のコーナー部分に設置し、底板（Ｅ）の（Ｆ）（Ｇ）（Ｈ）（Ｉ）部分はガムテープを貼りやすくする為と、新聞を手で取り出しやすくする為にカットする。又、底板（Ｅ′）には底上げを必要とする為、キャスターを取り付けてもよい。使用法としては、読み終わった新聞等をこの容器に収納して、一定量に達したなら新聞の四箇所をガムテープで止め、取り出す。（３）  考案の効果本案は、従来のこの種の物に比して極めて効果的かつ容易に収納整理が可能でありその操作も甚だ簡単で、ガムテープを使用出来る事からヒモで縛る手間もはぶけ、又本体には自由に色彩を施す事も出来室内の装飾品としての利用価値もあり、非常に実用的である。（４）  図面の説明第１図は正面図    第２図は右側面図    第３図は平面図第４図は底面図    第５図、６図は参考図※  第１図の背面図及び第２図の左側面図は対称の為省略
【図１】
0003114765.tif 000003
【図２】
0003114765.tif 000004
【図３】
0003114765.tif 000005
【図４】
0003114765.tif 000006
【図５】
0003114765.tif 000007
【図６】
0003114765.tif 000008
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
長方形底板の四隅に、２面の直角板を取り付け、底板４辺の中央部分を切り抜いて成形し、用具にたまった新聞をガムテープで止め、たばねる事を目的とし、キャスターを取り付ける事により移動を可能にした新聞収納ストッカー。
(57)【要約】      （修正有）【課題】市販されている熱さまシートは、極度の冷たさを感じ、あまりの冷たさに子どもは張る事を嫌がるため、冷たさを半減するようにする。また、保護透明フイルムをはがし易く肌に貼り易くする。【解決手段】熱さまシートのジェルの上に、ジェルの幅と同じ幅に切ったキッチンペーパー２枚重ねを、等間隔３箇所に貼り付けた。保護透明フイルムは、中央でフイルムをつまめるようにし、簡単にフイルムをはがせ、肌に貼り易くした。【選択図】図１
0003114764.tif 000002
【実用新案登録請求の範囲】
【請求項１】
熱さまシートのジェルの上に、直接肌に全部のジェルが接触しないように、キッチンペーパー２枚重ねたものを、等間隔に３箇所貼り付け冷たさを半減させた。
【請求項２】
透明保護フイルムを中央からはがし易く、その上、肌に貼り易くした。
【考案の詳細な説明】
【考案の開示】
【考案が解決しようとする課題】
【０００１】市販されている熱さまシートは、あまりにも冷えすぎて、急の冷たさに子どもは貼るのを嫌がる。また、ジェルの上に貼られている透明フイルムがはがれにくい問題点を有していた。
【課題を解決するための手段】
【０００２】上記目的を達成するために、キッチンペーパーを、ジェルの幅と同じ幅に切り２枚重ねたものを、等間隔にジェルの上３箇所に貼り付けた。【０００３】ジェルを保護している透明フイルムを、中央からはがせるようにした。
【考案の効果】
【０００４】キッチンペーパーを等間隔に３箇所貼り付けることによって、冷たさが半減し、極度の冷たさを感じなくなった。【０００５】透明フイルムを、中央からはがせるようにしたことで、保護フイルムをはがし易く肌に貼り易くなった。
【図面の簡単な説明】
【０００６】
【図１】キッチンペーパーと中央から保護フイルムをはがせる状態にした、斜視図である。
【図２】平面図である。
【図３】Ａ−Ｂの断面図である。
【符号の説明】
【０００７】１  ジェル
２  キッチンペーパー２枚重ね
３  中央からはがせる、保護透明フイルム
４  ジェル・シート
【図１】
0003114764.tif 000003
【図２】
0003114764.tif 000004
【図３】
0003114764.tif 000005
【手続補正書】
【提出日】平成17年6月27日(2005.6.27)
【手続補正２】
【補正対象書類名】実用新案登録請求の範囲
【補正対象項目名】全文
【補正方法】変更
【補正の内容】
【実用新案登録請求の範囲】
【請求項１】
「ふんわり熱下げシップ」は、市販されている「熱さまシート（登録商標）」のジェルの上に、直接肌に貼った瞬間の強い刺激を感じないように、キッチンペーパー２枚重ねたものを、等間隔に３箇所貼り付けた。
【請求項２】
冷却速度の半減を特徴とする請求項１記載の「ふんわり熱下げシップ」に、透明保護フイルムを中央から分割して、肌に貼りやすくした。